(57)【要約】      （修正有）【課題】  種々のネットワーク環境及びパターンに合致し適応するように無線ネットワークの動的な同調を可能にする。【解決手段】  情報処理システムは複数のアクセスポイント、無線ネットワーク管理装置およびデータベースを備え、アクセスポイントは無線ネットワークを形成するように結合され、各アクセスポイントは１以上の移動クライアントと通信し、無線ネットワーク管理装置はアクセスポイントに結合して、アクセスポイントの動作を動的に制御するように構成され、データベースは無線ネットワーク管理装置に接続して無線ネットワークに関する情報を記憶する。【選択図】図１
2006254459.tif 000002
【特許請求の範囲】
【請求項１】
無線ネットワークにおいて接続された複数の無線アクセスポイントであって、これらアクセスポイントの中の各アクセスポイントが１以上の各移動クライアントと通信するように構成された複数の無線アクセスポイントと、
複数のアクセスポイントに結合され、複数のアクセスポイントを動的に制御するように構成された無線ネットワーク管理装置と、
無線ネットワーク管理装置に結合され、無線ネットワークに関する情報を記憶するように構成されたデータベースとを備えている情報処理システム。
【請求項２】
１以上の移動クライアントは、その１以上の移動クライアントと複数のアクセスポイント中の各アクセスポイントとの間の通信リンクに関する情報項目の第１のセットを提供する請求項１記載の情報処理システム。
【請求項３】
複数のアクセスポイント中の各アクセスポイントは、そのアクセスポイントと１以上の移動クライアントのそれぞれとの間の通信に関する情報項目の第２のセットを無線ネットワーク管理装置に提供する請求項２記載の情報処理システム。
【請求項４】
複数のアクセスポイント中の各アクセスポイントは、情報項目の第１のセットを無線ネットワーク管理装置に提供する請求項３記載の情報処理システム。
【請求項５】
無線ネットワーク管理装置は、情報項目の第１および第２のセットに基づいてネットワーク同調パラメータを計算する請求項４記載の情報処理システム。
【請求項６】
無線ネットワーク管理装置はさらに、測定データベース中に記憶されたネットワークモデルを使用してネットワーク同調パラメータを計算する請求項５記載の情報処理システム。
【請求項７】
無線ネットワーク管理装置は、ネットワーク同調パラメータを使用して複数のアクセスポイントを制御する請求項５記載の情報処理システム。
【請求項８】
さらに、複数のアクセスポイントに結合された仮想ローカルエリアネットワークを備えている請求項１記載の情報処理システム。
【請求項９】
複数のアクセスポイント中の１組のアクセスポイントは、情報処理システム内において動的な容量およびカバレージのオーバービルドおよび制御を行う請求項１記載の情報処理システム。
【請求項１０】
無線ネットワーク管理装置およびデータベースはコンピュータ内に位置している請求項１記載の情報処理システム。
【請求項１１】
無線ネットワーク管理装置は複数のアクセスポイントを制御し、それにより無線ネットワークの動作を最適化する請求項１記載の情報処理システム。
【請求項１２】
１以上の移動クライアントとそれぞれが無線通信している複数のアクセスポイントを備えている無線ネットワークの動作を動的に構成する方法において、
複数のアクセスポイント中の各アクセスポイントと１以上の移動クライアントのそれぞれとの間の通信に関する情報を獲得し、
複数のアクセスポイントの動作特性に関する情報を獲得し、
無線ネットワークの動作に関するパラメータを計算し、
計算されたパラメータを使用して無線ネットワークを同調させるステップを含んでいる方法。
【請求項１３】
無線ネットワークの動作に関するパラメータを計算するステップはさらに、その無線ネットワークに関する情報を含んでいるように構成された無線ネットワークのモデルを使用するステップを含んでいる請求項１２記載の方法。
【請求項１４】
無線ネットワークのモデルは、（ａ）その無線ネットワークに関する情報を獲得し、（ｂ）その無線ネットワークのモデルを構成し、（ｃ）その無線ネットワークのモデルを記憶し、（ｄ）その無線ネットワークのモデルを更新することによって得られる請求項１３記載の方法。
【請求項１５】
さらに、無線ネットワークに関する情報を含むデータベースの中に記憶されている情報をフェッチし、
その無線ネットワークに関する時間変化情報を計算し、
その無線ネットワークにおける妨害のレベルを決定し、
その無線ネットワークのカバレージプロファイリングを提供し、
データベース中に記憶されている情報を更新するステップを含んでいる請求項１２記載の方法。
【請求項１６】
無線ネットワークの動作に関するパラメータを計算するステップはさらに、無線ネットワークのモデルと、複数のアクセスポイント中の各アクセスポイントと１以上のクライアントのそれぞれとの間の通信に関する情報と、および複数のアクセスポイントの動作特性に関する情報とを解析するステップを含んでいる請求項１３記載の方法。
【請求項１７】
無線ネットワークのモデルと、複数のアクセスポイント中の各アクセスポイントと１以上のクライアントのそれぞれとの間の通信に関する情報と、および複数のアクセスポイントの動作特性に関する情報とを解析するステップはさらに、反復最適化技術を使用するステップを含んでいる請求項１５記載の方法。
【請求項１８】
反復最適化技術を使用するステップはさらに、１以上の制約条件を与えられた１以上の目的を最適化するステップを含んでいる請求項１６記載の方法。
【請求項１９】
反復最適化技術を使用するステップはさらに、線形プログラミングまたは整数プログラミングを使用するステップを含んでいる請求項１７記載の方法。
【請求項２０】
計算されたパラメータを使用して無線ネットワークを同調させるステップはさらに、複数のアクセスポイントの１つの動作を制御するステップを含んでいる請求項１２記載の方法。
【発明の詳細な説明】
【技術分野】
【０００１】
本発明は、一般に、情報処理装置およびシステムに関する。とくに、本発明は、動的にまたは自動的に構成可能な無線ネットワークのための装置および関連した方法に関する。
【背景技術】
【０００２】
情報の価値および使用は増加し続けており、個人および企業は情報を処理し、記憶する付加的な手段を探し求めている。ユーザが利用可能な１つのオプションは情報処理システムである。情報処理システムは一般に、企業、個人またはその他の目的のために情報またはデータの処理、コンパイル、記憶および、または通信を行ない、それによってユーザがその情報の価値を利用することを可能にする。テクノロジーおよび情報処理の必要性ならびに要求はユーザまたは用途によって異なるため、情報処理システムもまた、処理される情報の種類、情報の処理方法、処理、記憶または通信される情報の量、および情報の処理、記憶または通信がどれだけ迅速かつ効率的に行われることができるかに関して異なったものとなる。情報処理システムはそのバリエーションのために、一般的に適用可能であり、あるいは特定のユーザに対して構成されることができ、もしくは金融取引処理、航空券の予約、企業データの記憶またはグローバルな通信のような特定の使用に対して構成されることができる。さらに、情報処理システムは、情報を処理し、記憶し、通信するように構成されることのできる種々のハードウェアおよびソフトウェアコンポーネントを含むことが可能であると共に、１以上のコンピュータシステム、データ記憶システムおよびネットワークシステムを含むことができる。
【発明の開示】
【発明が解決しようとする課題】
【０００３】
ネットワークシステムの１つのタイプである無線ローカルエリアネットワーク（ＷＬＡＮ）において、現在のところＷＬＡＮ開発に対する明確な方法論も測定規準のセットも存在しない。たとえば、各ＷＬＡＮアクセスポイント（ＡＰ）を設置するための最適な位置の決定およびチャンネル割当ての指定は、しばしば、試行錯誤を必然的に伴う。さらに、ネットワークは初期配置の範囲を超えて長期変更に対して設計されるので、ネットワーク環境およびトラフィックパターンの短期変更は典型的にチャンネル割当ての変更、ハードウェアの追加または変更等を必然的に伴う。トラフィックパターンおよび妨害のような種々のネットワーク環境およびパターンに合致すると共にそれに適応するようにＷＬＡＮ無線ネットワークの動的な同調を可能にするネットワークベースの解決策が必要とされている。
【課題を解決するための手段】
【０００４】
開示されている新しい概念は、動的に構成可能な無線ネットワークのための装置および無線ネットワークの動的構成に関する方法に関する。１実施形態において、情報処理システムは複数の無線アクセスポイント、無線ネットワーク管理装置、およびデータベースを備えている。これらアクセスポイントは無線ネットワークにおいて接続される。各アクセスポイントは１以上の移動クライアントと通信するように構成されている。無線ネットワーク管理装置は複数のアクセスポイントに接続している。無線ネットワーク管理装置は複数のアクセスポイントを動的に制御するように構成されている。データベースは無線ネットワーク管理装置に接続され、その無線ネットワークに関する情報を記憶するように構成されている。
【０００５】
別の実施形態は、無線ネットワークの動作を動的に構成する方法に関する。無線ネットワークは、１以上の移動クライアントとそれぞれが無線通信している複数のアクセスポイントを備えている。この方法は、各アクセスポイントとその各々の単一または複数のクライアントとの間の通信に関する情報を獲得し、それらアクセスポイントの動作特性に関する情報を獲得するステップを含んでいる。この方法はさらに、無線ネットワークの動作に関するパラメータを計算し、計算されたパラメータを使用して無線ネットワークを同調させるステップを含んでいる。
【発明を実施するための最良の形態】
【０００６】
添付されている図面は本発明の単なる例示的な実施形態を示しているに過ぎず、それ故本発明の技術的範囲を制限するものとしてみなし、あるいは解釈してはならない。当業者は、開示された発明の概念がその他の等価で有効な実施形態に役立つことを認識するであろう。なお、図面では、２以上の図中で同じ参照符号を使用して同じ、類似した、あるいは等価な機能、コンポーネントまたはブロックを表している。  
この開示のために、情報処理システムは、取引、科学、制御またはその他の目的のために任意の形態の情報、インテリジェンスまたはデータの計算、分類、処理、送信、受信、検索、発生、切替え、記憶、表示、宣言、検出、記録、再生、取扱いまたは使用を行うように構成可能な任意の手段または手段の集りを含むことができる。たとえば、情報処理システムは、パーソナルコンピュータ、ネットワーク記憶装置または任意の他の適切な装置であることが可能であり、また、そのサイズ、形状、性能、機能および価格はさまざまであってよい。情報処理システムはランダムアクセスメモリ（ＲＡＭ）、中央処理装置（ＣＰＵ）あるいはハードウェアまたはソフトウェア制御論理手段のような１以上の処理リソース、ＲＯＭおよび、またはその他のタイプの不揮発性メモリを備えていてもよい。情報処理システムの付加的なコンポーネントには、キーボード、マウスおよびビデオディスプレイのような種々の入出力（Ｉ／Ｏ）装置、ならびに１以上のディスクドライブおよび外部装置と通信するための１以上のネットワークポートもまた含まれることができる。情報処理システムはまた、種々のハードウェアコンポーネント間において通信を送るように動作可能な１以上のバスを備えていてもよい。
【０００７】
ここに開示されている本発明の概念は、動的に構成可能な（または再構成可能な）ＷＬＡＮを含む情報処理システムおよび関連した方法に関するものである。ネットワーク環境および動作条件のような種々のパラメータに応答して、本発明の概念は、自動構成を行うことのできるＷＬＡＮを提供する。開示されているＷＬＡＮの自動的または動的構成により、ネットワークの環境および動作条件の短期間または長期間にわたる変化のためにネットワークに対して行われる変更のような、従来技術のＷＬＡＮの欠点が克服される。
【０００８】
一般的な意味において、自動的に構成可能なＷＬＡＮを含む情報処理システムには、ＷＬＡＮアーキテクチャ、測定および報告メカニズムに基づくＷＬＡＮシステム、測定および報告メカニズムに基づく移動クライアント、ネットワークモデルまたはマップ、測定処理および解析、ならびに動的容量およびカバレージオーバービルドおよび制御のような構成要素が含まれる。以下の説明において各構成要素を詳細に説明する。しかしながら、本発明の概念を説明するために図示され、使用される実施形態は単なる例示的な実施形態に過ぎないことに注意すべきである。したがって、本発明の説明を認識した当業者により理解されるように、その他種々のネットワークアーキテクチャおよび動的構成方式が所望に応じて本発明にしたがって使用されることができる。
【０００９】
図１は本発明の例示的な１実施形態による情報処理システム100を示している。システム100は、測定および報告メカニズムを備え、ネットワークのモデルを使用して測定値処理および解析を行い、動的容量オーバービルドおよび制御を行うＷＬＡＮを含んでいる。とくに、システム100は、種々のシステム構成要素の間の通信を容易にする通信媒体103（ネットワークバックボーン）を備えている。
【００１０】
別のシステム構成要素には、１以上の（一般的に、Ｎ個の）アクセスポイント（ＡＰ）112A-112C、無線ネットワーク管理装置（ＲＮＭ）106および関連したコンソール109ならびに測定データベース（ＭＤＢ）106が含まれる。ＲＮＭ／ＭＤＢ106は、所望に応じてワークステーション、サーバ、パーソナルコンピュータ等のような処理および記憶能力を有する種々の装置で構成することができる。コンソール109は、本発明の説明を認識した当業者により理解されるように、ＲＮＭ／ＭＤＢ106の管理およびこれとの通信を行う（たとえば、報告、状態、変化している種々のパラメータ等を獲得する等の）メカニズムを提供する。
【００１１】
図１における特定の実施形態は、無線ネットワーク管理装置および測定データベースを１個の結合された装置として示している。無線ネットワーク管理装置および測定データベースは、別個の構成要素、分散型構成要素等として構成されてもよい。構成の選択は、本発明の説明を認識した当業者により理解されるように、特定のＷＬＡＮに対する設計および性能仕様のような種々のファクタに依存している。
【００１２】
アクセスポイント112A-112Cのそれぞれは、ＷＬＡＮを構成する各セル115A-115Cにおいて動作する。セル115A-115Cの各々の領域内で、各アクセスポイントは１以上の（一般的にＭ個の）無線クライアントと通信する。たとえば、アクセスポイント112AはクライアントＣ11，Ｃ12，…，Ｃ1M等と通信する。したがって、アクセスポイント112CはクライアントＣN1，ＣN2，…，ＣNMと通信する。ここに示されている本発明の機能および回路に加えて、アクセスポイント112A-112CおよびクライアントＣ11-ＣNMは、本発明の説明を認識した当業者に知られている方法で動作する。
【００１３】
通信媒体103を介して、アクセスポイント112A-112CはＲＮＭ／ＭＤＢ106に接続し、これと通信する。さらに、通信媒体103は、外部インフラストラクチャ120Aと通信するためのメカニズムをＷＬＡＮ（アクセスポイント112A-112C、ＲＮＭ／ＭＤＢ106等のようなその種々の構成要素を含む）に提供する。インフラストラクチャ120Aは、本発明の説明を認識した当業者により理解されるように、広範囲にわたる種々の情報処理装置および媒体を構成することができる。例には、ローカルエリアネットワーク（ＬＡＮ）、広域ネットワーク（ＷＡＮ）、独立型コンピュータシステム、ネットワークリソース等が含まれる。
【００１４】
図１中の種々の構成要素の間の接続は、既存または標準的なインターフェース（たとえば、単純ネットワーク管理プロトコル、すなわち、ＳＮＭＰ）を拡張して本発明によって検討されているデータ交換を行うことにより、そのインターフェースを利用することができることに注意しなければならない。ＡＰ112A-112Cは、ソフトウェアまたはファームウェアで構成された付加的な機能、処理およびインターフェース能力を備えた既存のアクセスポイントを構成することができる。その代り、本発明による実施形態における動作のためにとくに設計されたアクセスポイントがハードウェアおよびソフトウェアの両観点から所望のように使用されることができる。
【００１５】
図２は、本発明の別の例示的な実施形態による情報処理システム115を示している。システム115は、システム100（図１参照）中のものに類似した構成要素を示している。しかしながら、システム115は通信媒体103Aおよび通信媒体103Bの２つの通信媒体またはバックボーンを含んでいる。システム115は通信媒体103A-103Bを介して仮想ＬＡＮ（ＶＬＡＮ）能力を利用可能にすることにより融通性を追加する。
【００１６】
とくに、サーバ／ゲートウェイ125、ＡＰ112A-112CおよびＲＮＭ／ＭＤＢ106は、通信媒体103Aおよび通信媒体103Bの両者に結合している。通信媒体103Aはインフラストラクチャ120Aに接続し、一方通信媒体103Bはインフラストラクチャ120Bに結合している。２つの通信媒体を使用することにより、システム115は２つのインフラストラクチャ（120A、120B）に結合するメカニズムを提供し、それによってシステムの融通性および接続性を高める。さらに、所望に応じて、インフラストラクチャ120Aおよびインフラストラクチャ120BをＶＬＡＮとして形成し、さらにシステムの有用性および融通性を高めることができる。
【００１７】
システム100またはシステム115（あるいは本発明による種々の可能な別の実施形態）のいずれにおいても、ＡＰ112A-112Cは、ＷＬＡＮに関する種々の情報のコンパイルおよびＲＮＭ／ＭＤＢ106へのその報告を実時間で（あるいは、たとえば、所望のスケジュールにしたがって非実時間で）行う。情報には以下の項目が含まれるが、それに限定されない：
・各ＡＰに対するクライアントの数（たとえば、接続された／関連した、離れた、あるいは接続に失敗したクライアントの数）；
・集合的なクライアント無線信号プロファイル（たとえば、そのクライアントにおいて受信された平均的な相対信号強度インジケータすなわちＲＳＳＩ、標準偏差等）；
・信号品質相対および妨害レベル（たとえば、Ｓ／Ｎおよび、またはＣ／Ｉ）；
・集合的なＡＰ両方向トラフィック（たとえば、提供され、伝送されるバイトの数）；
・ユーザプロファイルおよび識別名（たとえば、許可された、許可されていない）；
・ビットエラーレート（ＢＥＲ）および集合的なパケット損失プロファイル（たとえば、パケット損失および再送信の割合）；
・集合的なステーション接続／セッション存続期間（各ＡＰに対するクライアントの接続の継続期間）；
・アンテナ信号バランス情報（たとえば、２以上のＡＰアンテナの間の平均信号差）；
・動的容量を決定すると共に隣接したセルの境界／トランジションを計画するためのユーザの移動性特性（本発明の説明を認識している当業者に知られている種々の手段により獲得可能な）。
【００１８】
上述したように、任意の所望のインターフェースまたはプロトコルを使用して報告が行われることができる。たとえば、報告は、新しいインターフェースを使用して、あるいはＳＮＭＰのような拡張されたまたは修正されたインターフェースを使用して行われることができる。しかしながら、本発明の説明を認識した当業者により理解されるように、種々のインターフェースおよびプロトコルは、それらが所望されたときに所定の構成の特定の詳細に応じて使用可能である。
【００１９】
さらに、ＡＰ112A-112Cの特定の１つに対する各クライアントはＷＬＡＮに関する各ＡＰクライアントベースの情報を提供する。クライアントは、クライアントにより起動された測定報告メッセージを使用して情報を各ＡＰに提供することができる。各クライアントは以下の項目を含む情報を提供するが、それに限定されない：
・各ＡＰに対する現在の無線信号強度測定；
・隣接したＡＰに対する無線信号強度測定（各クライアントは遊休期間中に別のＡＰの無線信号強度を周期的に測定してもよい）；
・ＢＥＲおよび受信されたパケット損失（たとえば、パケット損失の割合）；
・位置情報（たとえば、衛星航法システムすなわちＧＰＳ、三角測量および、またはプロファイリング技術により得られた位置情報／座標）。
【００２０】
情報をクライアントから受信したとき、各ＡＰはその情報を集め、および、またはさらに処理するためにＲＮＭ／ＭＤＢ106にその情報を提供する。ＡＰ112A-112Cは情報を直接提供し、あるいは情報をＲＮＭ／ＭＤＢ106に送る前に所望によりそれを集め、もしくは処理することができる。上述したように、報告は任意の所望のインターフェースまたはプロトコル（たとえば、新しい、拡張された）を使用してもよい。
【００２１】
上述したように、本発明のＷＬＡＮにはネットワークモデルまたはマップが含まれる。ＲＮＭ／ＭＤＢ106はネットワークモデルを保持する。とくに、ＲＮＭはネットワークモデルをＭＢＤ中に保持する。ネットワークモデルは、ＡＰ112A-112Cの相対的な位置およびそれらの動作周波数、ＡＰパワーレベル等のような、ＷＬＡＮの種々の特性を記述している。
【００２２】
図３は、本発明による例示的な実施形態におけるネットワークモデル処理に対するプロセスフロー図200を示している。ステップ205において、ＲＮＭはＷＬＡＮに関する情報を獲得する（たとえば、そのＷＬＡＮの設計者または建設者から）。情報には、ＡＰ112A-112Cの数、各ＡＰのそれぞれに対するクライアントの数のような項目が含まれる。
【００２３】
ステップ210において、ＲＮＭはネットワークモデルを構成する。このネットワークモデルは、上記で説明したようにネットワークに関する情報を考慮する。ステップ215において、ＲＮＭはこのネットワークモデルをＭＤＢ中に記憶する。ステップ220において、ＲＮＭは、ネットワークの特性の変化およびそのネットワークに関する情報の種々の項目（たとえば、ＡＰの数およびそれらの各クライアント、動作周波数等）に応じて、ＭＤＢ中のネットワークモデルを更新する。
【００２４】
ＲＮＭはＭＤＢ中の測定データを操作する。図４は、本発明の例示的な実施形態によるネットワーク測定操作に対するプロセスフロー図300を示している。ステップ305において、ＲＮＭはＭＤＢからネットワーク情報をフェッチする。ステップ310において、ＲＮＭはシステムの時間変化情報を計算する。この時間変化情報は、時間変化トラフィック密度および渋滞情報（たとえば、ＡＰ112A-112Cのそれぞれ当りの月単位の、週単位の、毎日のおよび時間単位の傾向）を含むことができる。
【００２５】
ステップ315において、ＲＮＭはシステムレベルおよびＡＰレベルの妨害を決定する。この決定は、所望に応じて両方向信号測定値、隣接ＡＰ信号測定値、パケット損失情報等に基づいてＲＮＭにより行われる。ステップ320において、ＲＮＭはセルカバレージプロファイリングを計算する。この計算は、所望に応じて通路損失バランス情報、アンテナバランス情報、ならびにシステムレベルおよびＡＰレベル妨害情報（上述された）に基づいてＲＮＭにより行われる。ステップ325において、ＲＮＭはこの計算の結果に基づいて適宜、ＭＤＢ中に記憶されているＷＬＡＮ情報を更新して記憶し、その情報を更新する。ＲＮＭはまた、所望に応じて変更／更新を行う前に、測定されたデータと共に種々のよく知られている通路損失および理論的伝播モデルを使用して仮定上のカバレージおよび信号状態を決定することができることに注意すべきである。
【００２６】
ＲＮＭは処理された測定値およびネットワークマップまたはモデルを解析して、ＷＬＡＮ同調（または再同調）または構成（または再構成）パラメータを決定する。ＲＮＭはこれらのパラメータを使用して各ＡＰの動作の詳細（たとえば、その動作の周波数、その出力パワーレベル等）を制御する。ＲＮＭは、所望に応じて、整数または線形プログラミングのような対話方式に基づく最適化技術を使用することができる。
【００２７】
図５は、本発明の例示的な実施形態によるＷＬＡＮ同調パラメータを得るためのブロック図を示している。認識されるように、ＲＮＭはネットワークモデル/マップ410およびＭＤＢデータ405を使用してＷＬＡＮの同調または再同調を目的とする解析を行う。とくに、ＲＮＭは、ネットワークモデル410およびＭＤＢデータ405を処理するために解析エンジン415を使用する。解析エンジン415はその入力として１以上の目的420および１以上の制約条件425を受取る。解析エンジン415は所望の技術（たとえば、整数または線形プログラミング）を使用してＷＬＡＮの同調または再同調パラメータを提供する。認識されるように、ＲＮＭはＷＬＡＮの同調または再同調パラメータを使用してＡＰを制御すると共に、したがってＷＬＡＮを動的に構成し、あるいは再構成する。
【００２８】
一例として、目的420には、平均ＡＰ両方向スループットの最大化、無線信号強度の最大化、およびＡＰ112A-112Cに対するトラフィックローディングの最大化が含まれることができる。制約条件425には、所望に応じて、ＡＰiがｉ番目のＡＰを表すものとし、また、Ｋ1-Ｋ3が制約条件を表すものとしてＡＰiに対するＫ1より小さいパケット損失、Ｋ2より小さいＡＰiに対する通路損失バランス、およびＫ3より小さいＡＰi渋滞が含まれると共に、サービスの品質（ＱｏＳ）および予測待ち時間／ジッタが含まれることができる。
【００２９】
解析エンジン415は、目的420および制約条件425に基づいてＷＬＡＮ同調または再同調パラメータを最適化しようと努める。所望に応じて、各ＡＰごとに、または１ネットワークワイドベースで目的および制約条件を適用することができることに注意しなければならない。さらに、上記に示された例は目的420および制約条件425の単なる例示的なセットに過ぎないことにも注意すべきである。本発明の説明を認識した当業者により理解されるように、その他の種々の目的および制約条件が所望に応じて使用されることができる。
【００３０】
上記において認識されたように、本発明の概念の１つの特徴は、動的な容量オーバービルドと制御に関する。とくに、本発明によるＷＬＡＮは、ＡＰオーバービルド容量を可能にする。ＷＬＡＮにおいてＡＰを追加する限界費用は比較的妥当である。さらに、ＡＰの費用が比較的廉価であり、また、ＬＡＮ環境におけるそれらの接続および配置が容易であるために、比較的容易にＡＰをＷＬＡＮ中に追加することができる。
【００３１】
さらに、特定のＡＰのオン切換えおよび付勢は、時間可変局部化トラフィック（たとえば、会議室における）、ステーション／ＡＰ周波数および妨害等のような種々のネットワーク特性に基づいて制御されることができる。ＲＮＭは不必要のＡＰを自動的に消勢し（たとえば、会議室中での会議が終了した後に）、したがってシステムレベルの妨害を減少させることができる。認識されるように、ユーザプロファイル、アクセスリスト、ユーザ許可、作業グループ結合等のようなパラメータに基づいてＷＬＡＮ内にＶＬＡＮを所望に応じて生成することもできる。
【００３２】
図面を参照すると、図示されている種々のブロックが主として概念上の機能および信号の流れを示すものであってよいことが当業者によって認識されるであろう。実際の回路構成は、種々の機能ブロックに対して個別に識別可能なハードウェアを備えていてもよいし、あるいは備えていなくてもよく、また、図示されている特定の回路を使用してもよいし、使用しなくてもよい。たとえば、種々のブロックの機能は所望に応じて１つの回路ブロックに結合されることができる。さらに、所望に応じて単一のブロックの機能が複数の回路ブロックにおいて実現されてもよい。回路構成の選択は、本発明の説明を認識した当業者により理解されるように、所定の構成に対する特定の設計および性能仕様のような種々のファクタに依存している。ここに記載されているものに加えて、本発明のその他の修正および別の実施形態は本発明の説明を認識した当業者には明らかであろう。したがって、この説明は本発明を実施する方法を当業者に教示し、単なる例示として解釈されるべきである。
【００３３】
図示され、説明されてきた本発明の形態は、現在好ましいまたは例示的な実施形態とみなされるべきである。当業者は、この明細書に記載されている本発明の技術的範囲を逸脱することなく部品の形状、寸法および構成の種々の変更を行うことが可能である。たとえば、当業者はここに図示され、説明されている構成要素の代りに等価な構成要素を使用することができる。さらに、当業者は本発明の技術的範囲を逸脱することなく本発明の特徴をその他の特徴の使用とは無関係に使用することができる。
【図面の簡単な説明】
【００３４】
【図１】本発明の例示的な実施形態による情報処理システムを示す概略図。
【図２】本発明の別の例示的な実施形態による情報処理システムを示す概略図。
【図３】本発明による例示的な実施形態におけるネットワークモデル処理に対するプロセスフロー図。
【図４】本発明の例示的な実施形態によるネットワーク測定操作に対するプロセスフロー図。
【図５】本発明の例示的な実施形態によるＷＬＡＮ同調パラメータを得るためのブロック図。
【図１】
2006254459.tif 000003
【図２】
2006254459.tif 000004
【図３】
2006254459.tif 000005
【図４】
2006254459.tif 000006
【図５】
2006254459.tif 000007
【外国語明細書】
2006254459000001.pdf